(57)【要約】【課題】音声が発生し、発光し、かつ移動する目覚まし時計を提供する。【解決手段】回路ボード、該回路ボードに電気的に接続する時計部、該回路ボード及び該時計部の電源である電池セット、該回路ボードに電気的に接続するスピーカを具えてなる制御装置１０と、該回路ボードと電気的に接続する駆動モータ、該駆動モータによって駆動する減速ギアセット、該減速ギアセットに連動する自在車キャスタとを具えてなる移動装置と、制御装置及び移動装置を載置するベース、該ベースを覆うハウジングカバーとによって構成され、該ハウジングカバーの上半部が光透過性のレンズ部によってなり、かつ該ベースの前方寄りの位置には自在車キャスタを設ける貫通孔を穿設し、下方には可動輪を回動自在に設けたハウジングと、該ハウジング前方に設けられ、該回路ボードと電気的に接続して該スピーカと該移動装置の電力を遮断する制御スイッチとによって構成する。【選択図】図１
0003138950.tif 000002
【実用新案登録請求の範囲】
【請求項１】
回路ボード１１と、該回路ボード１１に電気的に接続する時計部１２と、該回路ボード１１及び該時計部１２とに電気を供給する電源である電池セット１３と、該回路ボード１１に電気的に接続するスピーカ１５とを具えてなる制御装置１０と、該回路ボード１１と電気的に接続する駆動モータ２１と、該駆動モータ２１によって駆動する減速ギアセット２２と、該減速ギアセット２２に連動する自在車キャスタ２３とを具えてなる移動装置２０と、制御装置１０と移動装置２０とを載置するベース３１と、該ベース３１を覆うハウジングカバー３２によって構成され、該ハウジングカバー３２の上半部が該時計部１２を透視できる光透過性のレンズ部３２１によってなり、かつ該ベース３１の前方寄りの位置には自在車キャスタ２３を設ける貫通孔３１２を穿設し、下方には可動輪３３を回動自在に設けたハウジング３０と、該ハウジング３０前方に設けられ、該回路ボード１１と電気的に接続して該スピーカ１５と該移動装置２０に供給される電力を遮断する制御スイッチ４０とを含み構成されることを特徴とする、目覚まし時計。
【請求項２】
前記ハウジングカバー３２内には、該回路ボード１１と電気的に接続し、かつ該制御装置４０によって電源から供給される電力を遮断される発光体１６ａと、発光体１６ｂを更に具えることを特徴とする、請求項１に記載の目覚まし時計。
【請求項３】
前記制御スイッチ４０が、該ベース３１上に設けられ、かつ該ハウジングカバー３２に内蔵されるスイッチ座４０ａと、及び該スイッチ座４０ａに結合し、かつ該ハウジングカバー３２の外部に露出する切替えスイッチ４０ｂとによって構成され、該スイッチ座４０ａと回路ボード１１とが電気的に接続することを特徴とする、請求項１に記載の目覚まし時計。
【請求項４】
前記切替えスイッチ４０ｂ内に発光体１６ｂを設け、該発光体１６ｂと該回路ボード１１とが電気的に接続し、かつ該制御装置４０によって電源から供給される電力が遮断されることを特徴とする、請求項３に記載の目覚まし時計。
【請求項５】
前記切替えスイッチ４０ｂの底面に該回路ボード１１に電気的に接続し、目覚まし時計の移動する進路の状況を感知する光学センサ１４を設けるとともに、該移動装置２０を回転座５０内に設け、別途第２駆動モータ５１を設けて減速ギアセット５２を駆動し、該減速ギアセット５２によって該回転座５０を回転させ、該第２駆動モータ５１が該回路ボード１１に電気的に接続し、該光学センサ１４の出力する信号を該回路ボード１１が受信すると該第２駆動モータ５１が起動するように構成することを特徴とする、請求項３に記載の目覚まし時計。
【請求項６】
前記ハウジングカバー３２に外部の電源に接続する充電ソケット１３１を設け、該充電ソケット１３１が該電池セット１３に電気的に接続することを特徴とする、請求項１に記載の目覚まし時計。
【請求項７】
回路ボード１１と、該回路ボード１１に電気的に接続する時計部１２と、該回路ボード１１及び該時計部１２とに電気を供給する電源である電池セット１３と、該回路ボード１１に電気的に接続するスピーカ１５とを具えてなる制御装置１０と、該回路ボード１１と電気的に接続する駆動モータ２１と、該駆動モータ２１によって駆動する減速ギアセット２２と、該減速ギアセット２２に連動する自在車キャスタ２３とを具えてなる移動装置２０と、制御装置１０と移動装置２０とを載置するベース３１と、該ベース３１上に設ける光透過性のハウジングカバー３２によって構成され、かつ底面に少なくとも１以上の可動輪３３が設けられるウジング３０と、
該時計部１２の上方に設けられ該時計部に結合し、かつ該ハウジングカバー３２上面に穿設された貫通孔から外部に露出し、該回路ボード１１と電気的に接続して該スピーカ１５と該移動装置２０に供給される電力を遮断する制御スイッチ４０とを含み構成されることを特徴とする、目覚まし時計。
【請求項８】
前記ハウジングカバー３２内には、該回路ボード１１と電気的に接続し、かつ該制御装置４０によって電源から供給される電力を遮断される発光体１６ａと、発光体１６ｂを更に具えることを特徴とする、請求項７に記載の目覚まし時計。
【請求項９】
前記ベース前方の底面に該回路ボード１１に電気的に接続し、目覚まし時計の移動する進路の状況を感知する光学センサ１４を設けるとともに、該移動装置２０を回転座５０内に設け、別途第２駆動モータ５１を設けて減速ギアセット５２を駆動し、該減速ギアセット５２によって該回転座５０を回転させ、該第２駆動モータ５１が該回路ボード１１に電気的に接続し、該光学センサ１４の出力する信号を該回路ボード１１が受信すると該第２駆動モータ５１が起動するように構成することを特徴とする、請求項７に記載の目覚まし時計。
【請求項１０】
前記ハウジングカバー３２に外部の電源に接続する充電ソケット１３１を設け、該充電ソケット１３１が該電池セット１３に電気的に接続することを特徴とする、請求項７に記載の目覚まし時計。
【考案の詳細な説明】
【技術分野】
【０００１】
この考案は目覚まし時計に関し、特に時間の制御によって移動装置を触発して移動する目覚まし時計に関する。
【背景技術】
【０００２】
一般に使用される従来の目覚まし時計は、通常枕元などの使用者の手が届く場所に置かれる。目覚まし時計の針が移動して所定の時間になると音声を発して使用者に知らせる。但し、使用者は床で横になっている時間を延長したいため、手を伸ばして目覚まし時計のアラームスイッチを切ってしまうことがある。このため目覚まし時計は目覚ましの機能を失う。よって、移動できる目覚まし時計があれば、使用者が起き上がって、初めてアラームのスイッチを切らなければならなくなるため、目覚ましの機能を達成することができる。
【考案の開示】
【考案が解決しようとする課題】
【０００３】
この考案は、予め設定された目覚まし時間になると、移動装置によって移動する目覚まし時計であって、かつ使用者が時刻を確認しやすく、発光、音声発生作用を具え使用上の面白みを表現することのできる目覚まし時計を提供することを課題とする。
【課題を解決するための手段】
【０００４】
そこで、本考案者は従来の目覚まし時計における欠点に鑑み、鋭意研究を重ねた結果、回路ボード１１と、該回路ボード１１に電気的に接続する時計部１２と、該回路ボード１１及び該時計部１２とに電気を供給する電源である電池セット１３と、該回路ボード１１に電気的に接続するスピーカ１５とを具えてなる制御装置１０と、
該回路ボード１１と電気的に接続する駆動モータ２１と、該駆動モータ２１によって駆動する減速ギアセット２２と、該減速ギアセット２２に連動する自在車キャスタ２３とを具えてなる移動装置２０と、制御装置１０と移動装置２０とを載置するベース３１と、該ベース３１を覆うハウジングカバー３２とによって構成され、該ハウジングカバー３２の上半部が該時計部１２を透視できる光透過性のレンズ部３２１によってなり、かつ該ベース３１の前方寄りの位置には自在車キャスタ２３を設ける貫通孔３１２を穿設し、下方には可動輪３３を回動自在に設けたハウジング３０と、該ハウジング３０前方に設けられ、該回路ボード１１と電気的に接続して該スピーカ１５と該移動装置２０に供給される電力を遮断する制御スイッチ４０とを含み構成される目覚まし時計によって課題を解決できる点に着眼し、係る知見に基づいて本考案を完成させた。
【０００５】
以下この考案について具体的に説明する。
【０００６】
請求項１に記載する目覚まし時計は、回路ボード１１と、該回路ボード１１に電気的に接続する時計部１２と、該回路ボード１１及び該時計部１２とに電気を供給する電源である電池セット１３と、該回路ボード１１に電気的に接続するスピーカ１５とを具えてなる制御装置１０と、該回路ボード１１と電気的に接続する駆動モータ２１と、該駆動モータ２１によって駆動する減速ギアセット２２と、該減速ギアセット２２に連動する自在車キャスタ２３とを具えてなる移動装置２０と、制御装置１０と移動装置２０とを載置するベース３１と、該ベース３１を覆うハウジングカバー３２とによって構成され、該ハウジングカバー３２の上半部が該時計部１２を透視できる光透過性のレンズ部３２１によってなり、かつ該ベース３１の前方寄りの位置には自在車キャスタ２３を設ける貫通孔３１２を穿設し、下方には可動輪３３を回動自在に設けたハウジング３０と、該ハウジング３０前方に設けられ、該回路ボード１１と電気的に接続して該スピーカ１５と該移動装置２０に供給される電力を遮断する制御スイッチ４０とを含み構成される。
【０００７】
上述するように目覚まし時計を構成することによって、目覚まし時計１は予め設定された目覚まし時間になると、自在車キャスタ２３が回転して移動し、同時にスピーカ１５が音声を発し、かつ発光体１６ａ、１６ｂが発光する。したがって、目覚まし時計１が移動するため、使用者は起き上がって制御スイッチ４０を操作しなければならない。さもなければ自在車キャスタ２３、スピーカ１５、発光体１６ａ、１６ｂの作動が停止せず、好ましい使用者への目覚まし効果が得られる。また、ハウジング全体を動物の形状（例えば図示するように亀の形）にすることが好ましい。
【０００８】
請求項２に記載する目覚まし時計は、請求項１におけるハウジングカバー３２内には、該回路ボード１１と電気的に接続し、かつ該制御装置４０によって電源から供給される電力を遮断される発光体１６ａと、発光体１６ｂを更に具える。
【０００９】
上述するように、複数の発光体を具えることによって、スピーカ１５から発生する音声と、複数の発光体の発光とによって、使用上の面白みを高めることができる。
【００１０】
請求項３に記載する目覚まし時計は、請求項１における制御スイッチ４０が該ベース３１上に設けられ、かつ該ハウジングカバー３２に内蔵されるスイッチ座４０ａと、及び該スイッチ座４０ａに結合し、かつ該ハウジングカバー３２の外部に露出する切替えスイッチ４０ｂとによって構成され、該スイッチ座４０ａと回路ボード１１とが電気的に接続する。
【００１１】
請求項４に記載する目覚まし時計は、請求項３における切替えスイッチ４０ｂ内に発光体１６ｂを設け、該発光体１６ｂと該回路ボード１１とが電気的に接続し、かつ該制御装置４０によって電源から供給される電力が遮断されることを特徴とする請求項３に記載の目覚まし時計。
【００１２】
請求項５に記載する目覚まし時計は、請求項３における切替えスイッチ４０ｂの底面に該回路ボード１１に電気的に接続し、目覚まし時計の移動する進路の状況を感知する光学センサ１４を設けるとともに、該移動装置２０を回転座５０内に設け、別途第２駆動モータ５１を設けて減速ギアセット５２を駆動し、該減速ギアセット５２によって該回転座５０を回転させ、該第２駆動モータ５１が該回路ボード１１に電気的に接続し、該光学センサ１４の出力する信号を該回路ボード１１が受信すると該第２駆動モータ５１が起動するように構成する。
【００１３】
上述のように構成することによって、目覚まし時計１の進路に凹状の箇所があった場合、これを感知して方向を転換することができるため、凹状の箇所にはまり動かなくなるような事態を回避することができる。
【００１４】
請求項６に記載する目覚まし時計は、請求項１におけるハウジングカバー３２に外部の電源に接続する充電ソケット１３１を設け、該充電ソケット１３１が該電池セット１３に電気的に接続する。
【００１５】
請求項７に記載する目覚まし時計は、回路ボード１１と、該回路ボード１１に電気的に接続する時計部１２と、該回路ボード１１及び該時計部１２とに電気を供給する電源である電池セット１３と、該回路ボード１１に電気的に接続するスピーカ１５とを具えてなる制御装置１０と、該回路ボード１１と電気的に接続する駆動モータ２１と、該駆動モータ２１によって駆動する減速ギアセット２２と、該減速ギアセット２２に連動する自在車キャスタ２３とを具えてなる移動装置２０と、制御装置１０と移動装置２０とを載置するベース３１と、該ベース３１上に設ける光透過性のハウジングカバー３２とによって構成され、かつ底面に少なくとも１以上の可動輪３３が設けられるウジング３０と、該時計部１２の上方に設けられ該時計部に結合し、かつ該ハウジングカバー３２上面に穿設された貫通孔から外部に露出し、該回路ボード１１と電気的に接続して該スピーカ１５と該移動装置２０に供給される電力を遮断する制御スイッチ４０とを含み構成される。
【００１６】
請求項８に記載する目覚まし時計は、請求項７におけるハウジングカバー３２内には、該回路ボード１１と電気的に接続し、かつ該制御装置４０によって電源から供給される電力を遮断される発光体１６ａと、発光体１６ｂを更に具える。
【００１７】
請求項９に記載する目覚まし時計は、請求項７におけるベース前方の底面に該回路ボード１１に電気的に接続し、目覚まし時計の移動する進路の状況を感知する光学センサ１４を設けるとともに、該移動装置２０を回転座５０内に設け、別途第２駆動モータ５１を設けて減速ギアセット５２を駆動し、該減速ギアセット５２によって該回転座５０を回転させ、該第２駆動モータ５１が該回路ボード１１に電気的に接続し、該光学センサ１４の出力する信号を該回路ボード１１が受信すると該第２駆動モータ５１が起動するように構成する。
【００１８】
請求項１０に記載する目覚まし時計は、請求項７におけるハウジングカバー３２に外部の電源に接続する充電ソケット１３１を設け、該充電ソケット１３１が該電池セット１３に電気的に接続する。
【考案の効果】
【００１９】
この考案による目覚まし時計は、予め設定された目覚まし時間になると、音声が発生し、発光し、かつ移動装置によって移動するため、使用者は起き上がって制御スイッチを操作しなければならないことから、好ましい目覚まし時計の効果が得られる。
【００２０】
また、目覚まし時計の造形を動物などの形にするとともに、複数の発光体による発光作用、スピーカによる音楽などの音声発生によって、使用上の面白みを増すことができる。
【考案を実施するための最良の形態】
【００２１】
この考案による目覚まし時計は、回路ボード１１と、該回路ボード１１に電気的に接続する時計部１２と、該回路ボード１１及び該時計部１２とに電気を供給する電源である電池セット１３と、該回路ボード１１に電気的に接続するスピーカ１５とを具えてなる制御装置１０と、該回路ボード１１と電気的に接続する駆動モータ２１と、該駆動モータ２１によって駆動する減速ギアセット２２と、該減速ギアセット２２に連動する自在車キャスタ２３とを具えてなる移動装置２０と、制御装置１０と移動装置２０とを載置するベース３１と、該ベース３１を覆うハウジングカバー３２とによって構成され、該ハウジングカバー３２の上半部が該時計部１２を透視できる光透過性のレンズ部３２１によってなり、かつ該ベース３１の前方寄りの位置には自在車キャスタ２３を設ける貫通孔３１２を穿設し、下方には可動輪３３を回動自在に設けたハウジング３０と、該ハウジング３０前方に設けられ、該回路ボード１１と電気的に接続して該スピーカ１５と該移動装置２０に供給される電力を遮断する制御スイッチ４０と、を含み構成され、かかる構成によって、予め設定された目覚まし時間になると、音声が発生し、発光し、かつ移動装置によって移動して、好ましい目覚まし効果を得という目的を達成する。係る目覚まし時計の構造と特徴を詳述するために、具体的な実施例を挙げ、図面を参考にして以下に説明する。
【実施例１】
【００２２】
図１は第１の実施形態に係る目覚まし時計の構造を示した説明図である。図２は図１に開示する目覚まし時計の断面構造を示した説明図である。図３は図２に開示する目覚まし時計の電気的接続を示した説明図である。図４は図１に開示する目覚まし時計の回路図である。
【００２３】
図１に開示するように、第１の実施形態による目覚まし時計１は、制御装置１０と、移動装置２０と、ハウジング３０と、制御スイッチ４０とを含んでなる。
【００２４】
制御装置１０は回路ボード１１と、回路ボード１１に電気的に接続する時計部１２と、回路ボード１１及び時計部１２とに電気を供給する電源である電池セット１３と、回路ボード１１に電気的に接続するスピーカ１５とを含む。
【００２５】
移動装置２０は回路ボード１１と電気的に接続する駆動モータ２１と、駆動モータ２１によって駆動する減速ギアセット２２と、減速ギアセット２２を介して駆動モータ２１の動力が伝送される自在車キャスタ２３とを含む。
【００２６】
減速ギアセット２２は駆動モータ２１の動力を受けて、回転速度を減速させるガイドボルトと、及び自在車キャスタ２３のギアとによって構成される。但し、減速ギアセット（図示しない）などを用いて傘歯歯車セットの代替としてもよい。
【００２７】
ハウジング３０は制御装置１０と移動装置２０とを載置するベース３１と、ベース３１を覆うハウジングカバー３２とによって構成する。
【００２８】
ハウジングカバー３２の上半部は時計部１２を透視できる光透過性のレンズ部３２１によってなり、ベース３１の前方寄りの位置には自在車キャスタ２３を設ける貫通孔３１２を穿設し、下方には可動輪３３を回動自在に設ける。
【００２９】
時計部１２の２つの調整つまみ１２１、１２２はハウジングカバー３２上に設ける。第１調整つまみ１２１は表示時間の調整を行い、第２調整つまみ１２２は目覚まし時間の設定を行う。
【００３０】
制御スイッチ４０は、ハウジング３０の前方に位置し、ベース３１上に設けられ、かつハウジングカバー３２に内蔵されるスイッチ座４０ａと、及びスイッチ座４０ａに連結しハウジングカバー３２の外部に露出する切替えスイッチ４０とによって構成される。スイッチ座４０aは回路ボードに電気的に接続し、かつスピーカ１５と移動装置２０の電源からの電力の供給を遮断する。
【００３１】
また、目覚まし時計１は発光作用を有する。ハウジングカバー３２と制御スイッチ４０内に発光体１６ａを設けて回路ボード１１と電気的に接続し、制御スイッチ４０によって発光のための電力を遮断する。
【００３２】
さらに、切替えスイッチ４０ｂも発光作用を有する。切替えスイッチ４０ｂ内にも発光体１６ｂを設けて回路ボード１１と電気的に接続し、制御スイッチ４０によって発光のための電力を遮断する。
【００３３】
電源となる電池セット１３の電力を補充するために、ハウジングカバー３２には外部から、家庭に供給される電気を利用した充電ソケット１３１を設ける。充電ソケット１３１は、電池セット１３と電気的に接続する。よって、トランス（図示しない）を介して直流電圧に変換した後、充電ソケット１３１を経て電気エネルギーを電池セット１３内に蓄積することができる。充電ソケット１３１を設けない場合、電池セット１３は乾電池などを用いる。
【００３４】
図３に、この考案の電気的接続を開示する。図４は回路図であって、時計部１２の針が予め設定された目覚まし時間の位置に至ると、目覚まし時計本体は小電流の信号を回路ボード１１に出力する。集積回路に該信号が入力すると、駆動モータ２１が起動し、自在車キャスタ２３が転動する。同時に、スピーカ１５から音声が発し、発光体１６a、１６ｂが発光する。但し、切替えスイッチ４０ｂを図２に開示した矢印の方向に押し圧すると、スイッチ座４０ａが信号を回路ボード１１に出力し、駆動モータ２１、スピーカ１５、発光体１６ａの電源を遮断し、目覚まし時計１の目覚まし機能が停止する。これら目覚まし機能に必要とする電力は電池セット１３が供給する。電力が不足した場合は充電ソケット１３１に外部の電力を供給して充電するか、もしくは内部の蓄電池を交換する。
【実施例２】
【００３５】
図５は、第２の実施形態による目覚まし時計の構造を示した説明図であって、図６は断面構造を示した説明図である。図７は図５に開示する目覚まし時計の電気的接続関係を示した説明図である。
【００３６】
第２の実施の形態と上述する第１の実施の形態とは、切替えスイッチ４０bの底面に、回路ボード１１と電気的に接続し、目覚まし時計１が移動する進路の状況を感知する光学センサ１４を設けた点と、移動装置２０を回転座５０内に設けた点とにおいて異なる。また、別途駆動モータ５１を設けて減速ギアセット５２を駆動し、減速ギアセット５２を介して回転座５０を回転させる。また、駆動モータ５１は回路ボード１１と電気的に接続し、光学センサ１４が出力した信号を受信すると起動する。
【００３７】
減速ギアセットは、減速ギアセット２２は駆動モータ２１の動力を受けて、回転速度を減速させるガイドボルトと、及び回転座５０の外周面に沿って環状に配置された歯によって構成される。減速ギアセット（図示しない）などで代替としてもよい。
【００３８】
図７に開示する光学センサ１４は赤外線センサであって、前方と平面との間の距離が予め設定された範囲を超していることを感知した場合、信号を回路ボード１１に出力し、駆動モータ５１を起動して回転座５０を回転させて、目覚まし時計１を右方向、または左方向に方向転換させる。よって、目覚まし時計１が凹状のところにはまって動けなくなるような事態を回避することができる。
【００３９】
駆動モータを停止させる方法は、回路ボード１１に限時継電器を設けて制御するか、もしくはベース３１に回転座５０と接触する２つのリミットスイッチ（図示しない）を設けて制御する。
【実施例３】
【００４０】
図８は、第３の実施形態による目覚まし時計の構造を示した説明図であって、図９は断面構造を示した説明図である。第３の実施例に係る目覚まし時計は、ハウジング３２が光透過性の材料によってなり、時計部１２の文字盤が側面に向いている点において第１の実施形態と異なる。
【００４１】
調整つまみ１２１、１２２は他の側面に設けられる。制御スイッチ４０は時計部１２の上方に設けられて時計部１２と連結し、ハウジング３２上面に穿設した貫通孔から外部に露出し、かつ回路ボード１１と電気的に接続し、スピーカ１５、移動装置２０、発光体１６ａ、１６ｂの電源の開閉制御を行う
【００４２】
制御スイッチ４０を下方に押圧すると、時計部１２は信号を回路ボード１１に出力して駆動モータ２１、スピーカ１５、発光体１６ａ、１６ｂの電源が遮断されて目覚まし時計１の目覚まし機能が停止する。
【００４３】
また、第３の実施の形態による目覚まし時計１は、ベース３１の前方底面に、回路ボード１１と電気的に接続し、目覚まし時計１が移動する進路の状況を感知する光学センサ１４を設けてもよい。この場合、移動装置２０は図５に開示するように回転座５０内に設け、かつ第２駆動モータ５１で減速ギアセット５２を駆動し、減速ギアセット５２を介して回転座５０を回転させる。また、駆動モータ５１は回路ボード１１と電気的に接続し、光学センサ１４が出力した信号を受信すると起動する。
【００４４】
この考案による目覚まし時計の可動輪３３について説明する。 上述する図面に開示される可動輪３３は一つだけである。可動輪３３と自在車キャスタは直線上に配設される。但し、図１０、図１１に開示するように設けてもよい。即ち、図１０は２つに可動輪３３を左右対称の位置に設ける。図１１は３つの可動輪３３を左右対称の位置と三角形の頂点の位置とに設ける三角形式の配設方法である。如何なる配設方法であろうと、可動輪３３の作用によって、目覚まし時計１は安定した移動が得られる。
【００４５】
以上はこの考案の好ましい実施の形態であって、この考案の実施の範囲を限定するものではない。よって、当業者のなし得る変更、修正、もしくは改良であって、この考案の精神の下においてなされ、かつこの考案に対して均等の効果を有するものは、いずれもこの考案の請求の範囲に属するものとする。
【図面の簡単な説明】
【００４６】
【図１】第１の実施形態に係る目覚まし時計の構造を示した説明図
【図２】図１に開示する目覚まし時計の断面構造を示した説明図
【図３】開示する目覚まし時計の電気的接続を示した説明図
【図４】図１に開示する目覚まし時計の回路図
【図５】第２の実施形態による目覚まし時計の構造を示した説明図
【図６】第２の実施形態による目覚まし時計の断面構造を示した説明図
【図７】図５に開示する目覚まし時計の電気的接続関係を示した説明図
【図８】第３の実施形態による目覚まし時計の構造を示した説明図
【図９】第３の実施形態による目覚まし時計の断面構造を示した説明図
【図１０】可動輪の配置が異なる実施の形態よる目覚まし時計の底面図
【図１１】可動輪の配置が異なる他の実施の形態よる目覚まし時計の底面図
【符号の説明】
【００４７】
１          目覚まし時計
１０        制御装置
１１        回路ボード
１２        時計部
１３        電池セット
１３１      充電ソケット
１４        光学センサ
１５        スピーカ
１６ａ      発光体
１６ｂ      発光体
２０        移動装置
２１        第１駆動モータ
２２        減速ギアセット
２３        自在輪キャスタ
３０        ハウジング
３１        ベース
３１１      貫通孔
３２        ハウジングカバー
３３        可動輪
３２１      レンズ部
４０        制御スイッチ
４０ａ      スイッチ座
４０ｂ      切替えスイッチ
５１        第２駆動モータ
【図１】
0003138950.tif 000003
【図２】
0003138950.tif 000004
【図３】
0003138950.tif 000005
【図４】
0003138950.tif 000006
【図５】
0003138950.tif 000007
【図６】
0003138950.tif 000008
【図７】
0003138950.tif 000009
【図８】
0003138950.tif 000010
【図９】
0003138950.tif 000011
【図１０】
0003138950.tif 000012
【図１１】
0003138950.tif 000013